(57)【要約】【課題】本発明は、デジタルカメラとディスプレイを備えた携帯端末及び／又はこれと接続する外部サーバ内のコンピュータを機能させるための工事現場画像設定プログラムを提供する。【解決手段】本発明の工事現場画像設定プログラムは、デジタルカメラから入力される風景をディスプレイに表示する風景表示手段と、工事名と工種と測点とを含む黒板情報を予め設定し記録する黒板情報設定手段と、黒板情報設定手段で記録された黒板情報に基づく黒板画像を、前記風景の上に重ねてディスプレイに表示する黒板画像表示手段と、前記黒板画像が前記風景の上に重ねられた状態の画像を黒板情報と関連付けた画像ファイルとして記録する画像記録手段と、ＧＰＳにより判断された携帯端末の位置が、前記黒板画像表示手段で予め設定された黒板情報における測点と判断されたときには、その黒板情報を読み込み、出力する黒板情報出力手段と、を備える。【選択図】図７
2019003310.tif 000002
【特許請求の範囲】
【請求項１】
デジタルカメラとディスプレイを備えた携帯端末及び／又はこれと接続する外部サーバ内のコンピュータを機能させるための工事現場画像設定プログラムであって、
デジタルカメラから入力される風景画像をディスプレイに表示する風景表示手段と、
少なくとも工事名と測点とを含む黒板情報を予め設定し記録する黒板情報設定手段と、
黒板情報設定手段で記録された黒板情報に基づく黒板画像を、前記風景画像の上に重ねてディスプレイに表示する黒板画像表示手段と、
前記黒板画像が前記風景画像の上に重ねられた状態の画像を黒板情報と関連付けた画像ファイルとして記録する画像記録手段と、
ＧＰＳ又は特定基準点からの無線通信により判断された携帯端末の位置が、前記黒板情報設定手段で予め設定された黒板情報における測点と判断されたときには、その黒板情報を読み込み、出力する黒板情報出力手段と、を備えることを特徴とする工事現場画像設定プログラム。
【請求項２】
画像黒板情報設定手段で予め設定する黒板情報には、その工事名における工事現場範囲が含まれ、該工事現場範囲はディスプレイ上に表示された地図表示上で所望の範囲を設定することで設定される、ことを特徴とする請求項１に記載の工事現場画像設定プログラム。
【請求項３】
画像黒板情報設定手段は、設定された工事現場範囲を表示するディスプレイの地図表示上の該工事現場範囲内で所定間隔ごとに１つ又は複数の測点を設定され、各測点に対応する黒板情報を設定する、ことを特徴とする請求項２に記載の工事現場画像設定プログラム。
【請求項４】
前記黒板情報出力手段は、ＧＰＳ又は特定基準点からの無線通信により判断された前記携帯端末の位置のうち最近傍の測点に対応する黒板情報を読み込み、出力する、ことを特徴とする請求項３に記載の工事現場画像設定プログラム。
【請求項５】
前記デジタルカメラから入力される風景画像に撮影位置情報が含まれているときには、
前記画像記録手段は、撮影位置情報に対応する黒板情報に基づく黒板画像が風景画像の上に重ねられた状態の画像を黒板情報と関連付けた画像ファイルとして記録し、
前記黒板情報出力手段は、ＧＰＳ又は特定基準点からの無線通信により判断された携帯端末の位置が、前記黒板情報設定手段で予め設定された黒板情報における測点と判断されたときには、その黒板情報をこれと関連付けられた画像ファイルとともに出力する、ことを特徴とする請求項１に記載の工事現場画像設定プログラム。
【請求項６】
設定される測点が複数の場合、各測点上に隣り合う各測点間を結んだ隣り合う２つの線分で形成される角度を二等分する線を測点のラインとして設定する、請求項３に記載の工事現場画像設定プログラム。
【発明の詳細な説明】
【技術分野】
【０００１】
本発明は、工事現場における写真撮影の労力を大幅に低減し、撮影現場の黒板内容の間違いを防止する工事現場画像設定プログラムに関する。
【背景技術】
【０００２】
一般に、建築工事、土木工事等の現場では、工事の各段階の状況を写真に撮影し、当該写真を添付した写真台帳を役所などの施工主に提出して、工事の作業状況を報告することが求められる。そのため、当該写真中に、工事名、工種、測点、日付、工事を行う会社名、作業状況などの情報（以下、「工事情報」）を付加する必要があり、従来は、これらの情報を黒板に書き込み、これを現場に立てて撮影するという方法をとっていた。しかしながら、かかる方法は、黒板を持ち運ばなければならず、写真撮影のたびに情報を書き込むのが非常に煩雑であり、また、現場の状況によっては黒板を立てる適当な場所がない場合があるなどの問題があった。
【０００３】
かかる問題に鑑み、特許文献１では実在の黒板を使用することなく、黒板の画像を合成した工事現場の写真を撮影できるデジタルカメラが提案されている。この技術の場合でも写真データに上記工事情報のデータを記録することはできず、自動振り分けができず現場での手作業に依存していたため煩雑さの解消までには至っていなかった。また、即時バックアップができないことや、デジタルカメラ内のメモリ容量不足時にバックアップできないためデータ削除して容量を確保することができないこと等、データの保全性も劣る。
【０００４】
これに対して出願人がすでに提供した特許文献２では、スマートフォン内にインストールしたアプリケーションソフトウェア内で表示される電子黒板に入力した工事情報の内容を元に、撮影した写真が自動で分類され、インターネットを介してデータ保管・運用が可能であり、リアルタイムでデータ一元管理・共有化できるシステムが提供されている。
【０００５】
このシステムを活用すると、スマートフォンアプリで撮影した写真は、電子黒板に入力した又はメモリから呼び出した工事情報のデータを保持したまま記録でき、その工事情報データにより撮影写真がアプリ内のフォルダに自動で仕分けされ、整理されるため手作業での写真整理の必要がなく、省力化が図れる。また、このシステムでは、工事写真を外部サーバに即時バックアップされ、分類保存されるので写真が整理されたまま再現可能であり、スマートフォン端末内のメモリ容量が不足した際にも写真を削除でき、データの保全性が向上する。さらに、このシステムでは外部サーバにバックアップ保存した写真を何処からでも閲覧、編集することができ、リアルタイムで撮影した写真データの一元管理・共有化が行える。
【０００６】
しかしながら、工事現場の管理者は複数の工事現場を同時に管理することも多く、工事現場や測点を移動する際に，そのたびに黒板の工事名や測点等の項目を書き込むのは多大な労力を要することとなる。また、特許文献２で提供される電子黒板を用いた場合、予め工事名をワード登録する等により負担軽減を図ることはできるが、各工事現場の各測点で黒板内容を変更する手入力を行わなければならず、さらなる負担軽減のニーズは大きかった。また、複数の工事現場を同時に管理している場合、電子黒板の工事名を前の現場のまま測点だけを変更して写真撮影してしまう可能性もあった。
【先行技術文献】
【特許文献】
【０００７】
【特許文献１】特開２００３−５５１５９号公報
【特許文献２】特開２０１４−１５７５９６号公報
【発明の概要】
【発明が解決しようとする課題】
【０００８】
上記課題に鑑みて本発明は創作されたものであり、本発明は、工事現場における写真撮影の労力を大幅に低減し、さらには撮影現場の黒板内容の間違いが生じないような工事現場画像設定プログラムを提供することを目的とする。
【課題を解決するための手段】
【０００９】
具体的に、本発明は、デジタルカメラとディスプレイを備えた携帯端末及び／又はこれと接続する外部サーバ内のコンピュータを機能させるための工事現場画像設定プログラムであって、デジタルカメラから入力される風景画像をディスプレイに表示する風景表示手段と、少なくとも工事名と測点とを含む黒板情報を予め設定し記録する黒板情報設定手段と、黒板情報設定手段で記録された黒板情報に基づく黒板画像を、前記風景画像の上に重ねてディスプレイに表示する黒板画像表示手段と、前記黒板画像が前記風景画像の上に重ねられた状態の画像を黒板情報と関連付けた画像ファイルとして記録する画像記録手段と、ＧＰＳ又は特定基準点からの無線通信により判断された携帯端末の位置が、前記黒板画像表示手段で予め設定された黒板情報における測点と判断されたときには、その黒板情報を読み込み、出力する黒板情報出力手段と、を備える。
【００１０】
本発明によれば、外部サーバ（例えば、固定サーバやクラウドサーバ）や携帯端末（例えば、スマートフォン）に電子黒板に表示する黒板情報を予め設定し記録しておき、実際の工事現場においてＧＰＳや特定基準点からの近距離無線装置（例えばBLUETOOTH（登録商標）のみならず、ZIGBEE（登録商標）,Wifi等）で検出された位置に合致する測点に対応する黒板内容をディスプレイ上に自動的に出力することで、各工事現場でその都度、黒板内容を手入力する労力を低減することができる。さらに、各工事現場の各測点における黒板内容を自動的に出力するため、現場で間違った黒板内容の写真撮影することを回避することができる。
【００１１】
また、黒板情報設定手段で予め設定する黒板情報には、その工事名における工事現場範囲が含まれ、該工事現場範囲はディスプレイ上に表示された地図表示上で所望の範囲を設定することで設定されることが好ましい。
【００１２】
予め設定する黒板情報のうちの工事名における工事現場範囲は、ディスプレイ上の地図表示で範囲を囲って設定する。具体例は後述する。
【００１３】
また、黒板情報設定手段は、設定された工事現場範囲を表示するディスプレイの地図表示上の該工事現場範囲内で所定間隔ごとに１つ又は複数の測点を設定され、各測点に対応する黒板情報を設定することが好ましい。
【００１４】
工事名における工事現場範囲内の１つ又は複数の測点もディスプレイの地図表示上で所定間隔（現行規則上２０ｍの間隔）ごとに設定される。具体例は後述する。
【００１５】
また、前記黒板情報出力手段は、ＧＰＳ又は特定基準点からの無線通信により判断された前記携帯端末の位置のうち最近傍の測点に対応する黒板情報を読み込み、出力することが好ましい。
【００１６】
これにより携帯端末を持つユーザの位置を検出するとその近傍の測点が設定され、対応する適正な黒板情報が自動的に黒板内容（黒板画像）に反映され、手入力のような労力負担がなく、黒板内容の間違いもない写真撮影が可能となる。
【００１７】
さらに、前記デジタルカメラから入力される風景画像に撮影位置情報が含まれているときには、前記画像記録手段は、撮影位置情報に対応する黒板情報に基づく黒板画像が風景画像の上に重ねられた状態の画像を黒板情報と関連付けた画像ファイルとして記録し、前記黒板情報出力手段は、ＧＰＳ又は特定基準点からの無線通信により判断された携帯端末の位置が、前記黒板情報設定手段で予め設定された黒板情報における測点と判断されたときには、その黒板情報をこれと関連付けられた画像ファイルとともに出力する、ことが好ましい。
【００１８】
デジタルカメラで撮影した風景画像にはＧＰＳ等による位置情報が付けられていることがあり、この位置情報を元に工事名、測点（会社名、黒板の型式、工種を含む場合あり）の黒板情報を風景画像に自動で関連付けておくことができる。これにより、多数撮影された工事現場の風景画像に一括で黒板画像を貼り付けておくことができ、ユーザの位置に該当する測点での黒板画像付きの風景画像を容易に出力することができ、工事現場内での作業をより簡便にすることができる。
【００１９】
また、設定される測点が複数の場合、各測点上に隣り合う各測点間を結んだ隣り合う２つの線分で形成される角度を二等分する線を測点のラインとして設定することができる。この例では、各測点を結んだ２直線で形成される角度の１／２の角度の方向をそれぞれの測点のラインとして自動的に設定している。
【発明の効果】
【００２０】
本発明の工事現場画像設定プログラムによれば、工事現場における写真撮影の労力を大幅に低減し、さらには撮影現場の黒板内容の間違いを防止する点で有利である。
【図面の簡単な説明】
【００２１】
【図１】本発明の実施形態にかかるプログラムがインストールされたスマートフォンのハードウェア構成を示す図である。
【図２】本発明の実施形態にかかるプログラムによる写真撮影処理のフローチャートを示す図である。
【図３】本発明の実施形態にかかるプログラムの撮影画面を示す図である。
【図４】本発明の実施形態にかかるプログラムの黒板編集画面を示す図である。
【図５】本発明の実施形態にかかるプログラムで撮影された画像ファイルを示す図である。
【図６】本発明の実施形態にかかるプログラムがインストールされたスマートフォン及び／又は外部サーバのハードウェア構成の一部を示す図である。
【図７】本発明の実施形態にかかるプログラムによる予め黒板情報を設定する方法のフローチャートを示す図である
【図８】本発明の実施形態にかかるプログラムによる予め黒板情報を設定する方法を実行するディスプレイ画面表示を示す図である。
【図９】本発明の実施形態にかかるプログラムによる予め黒板情報を設定する方法を実行するディスプレイ画面表示を示す図８に続く図である。
【図１０】本発明の実施形態にかかるプログラムによる予め黒板情報を設定する方法を実行するディスプレイ画面表示を示す図９に続く図である。
【図１１】工事現場内の測点を示す略平面図である。
【図１２】本発明の実施形態にかかるプログラムによりスマートフォンで予め黒板情報を設定するときに工事現場範囲を決定する手法を示すディスプレイの略模試図である。
【図１３】本発明の実施形態にかかるプログラムによりスマートフォンで予め黒板情報を設定するときに工事現場範囲を決定する他の手法を示すディスプレイの略模試図である。
【図１４】本発明の実施形態にかかるプログラムによりスマートフォンで予め黒板情報を設定するときに測点を決定する手法を示すディスプレイの略模試図である。
【図１５】本発明の実施形態にかかるプログラムによりスマートフォンで携帯端末（ユーザ）の位置に対応する測点を決定する手法を示すディスプレイの略模試図である。
【図１６】本発明の実施形態にかかるプログラムによりウェブサイトで予め黒板情報を設定するときに工事現場範囲を決定する手法を示すディスプレイの略模試図である。
【図１７】本発明の実施形態にかかるプログラムによりウェブサイトで予め黒板情報を設定するときに工事現場範囲を決定する手法を示す図１６に続くディスプレイの略模試図である。
【図１８】（ａ）（ｂ）には、自動で測点を設定する手法が例示されている。
【発明を実施するための形態】
【００２２】
以下、本発明における実施形態について、図面を参照して説明する。なお、本実施形態のプログラムは、インターネット上でスマートフォン用アプリ及びこれと同期するパソコン端末でのソフトウェアとして提供されるものであり、これがダウンロードされてインストールされたものである。
【００２３】
まず、本実施形態にかかるプログラムがインストールされたスマートフォンのハードウェア構成を、図１を参照して説明する。なお、コンピュータやスマートフォンに接続する外部サーバで各黒板情報や画像ファイルを保存・管理する方法については後述する。
【００２４】
この場合、スマートフォンは、ＣＰＵ１１、主記憶装置（メインメモリ）１２、外部記憶装置（フラッシュメモリ）１３、タッチスクリーン１４、物理キー１５、ディスプレイ１６、デジタルカメラ１７、ＧＰＳモジュール（以下、「ＧＰＳ」）１８を備えている。ＣＰＵ１１は、外部記憶装置１３に記録された各プログラムに従い、バスＰを介して各部を制御する。
【００２５】
外部記憶装置１３には、オペレーティングシステム（ＯＳ）１３ａ、メインプログラム１３ｂ、黒板情報テーブル１３ｃ、写真テーブル１３ｄ、写真台帳テーブル１３ｅ、及び工程表テーブル１３ｆが記録されている。なお、詳細には後述するが外部のコンピュータ等で画像ファイルや黒板情報等を保存・管理する場合は、図１の点線領域が変更される。
【００２６】
入力装置であるタッチスクリーン１４は、ディスプレイ１６の表面に備えられており、指でディスプレイ１６をタップ、ドラッグ、ピンチアウト、ピンチイン等の動作をすることにより、選択、決定、拡大、縮小等の各種操作を行うことができるようになっている。また、物理キー１５を押すことにより、ホーム画面への移動、本プログラムの終了等の操作を行うことができるようになっている。
【００２７】
次に、本プログラムによる写真撮影について、図２のフローチャートを参照して説明する。
本プログラムを起動させると、スマートフォンのデジタルカメラ１７とＧＰＳ１８とが起動する。ＧＰＳ１８は本プログラムの起動前にユーザが予め起動させておく場合もある。本プログラムを起動すると図３のような、デジタルカメラ１７から入力される風景３１がディスプレイ１６に表示されるとともに、風景３１の上に重ねて黒板画像３２が表示された撮影画面となる（ＳＴ１〜ＳＴ３）。
【００２８】
黒板画像３２には、スマートフォンを所持するユーザの測点をＧＰＳ１８で判断して、黒板情報テーブル１３ｃを参照して、工事名、工種、測点、フリーエリア、及び施工の各欄に、それぞれの情報が表示される（黒板情報の設定については後述）。そして、黒板画像３２は、ドラッグして移動させることができ、また、黒板画像３２の四隅の点３２ａ，３２ｂ，３２ｃ，３２ｄを指でドラッグして動かすことにより、黒板画像３２の拡大及び縮小をすることができる。なお、ディスプレイ１６上に表示される黒板画像３２は、ＪＰＥＧ等の画像ファイルではなく、黒板情報テーブル１３ｃ又は主記憶装置１２及び／又は外部サーバ（後述）内にある黒板情報から呼び出した黒板の形状や色の情報に基づいて描写したものであるため、拡大・縮小させても、黒板画像３２上の表示が劣化することはない。また、黒板の形状、罫線、色は、複数の種類のものが用意されており、適宜選択できるようになっている。
【００２９】
本プログラムでは、（１）工事現場及び／又は測点に応じた黒板情報がデータベースにない場合、（２）工事現場及び／又は測点に応じた黒板情報が黒板情報テーブル１３ｃにある場合のいずれかを判定し（ＳＴ２）、これにより黒板画像３２の表示態様が異なる。まず、（１）工事現場及び／又は測点に応じた黒板情報が予め黒板情報テーブル１３ｃに設定されていない場合について説明する。この場合、前回に使用したものをそのまま表示するか否かを設定できるようになっている。
【００３０】
図２のフローチャートに示すように、まず前回と同じ情報を表示するように設定し、表示する（ＳＴ２〜ＳＴ３）。表示された黒板情報を変更する場合は、撮影画面において、黒板画像３２自体か、ディスプレイ下部に表示された黒板編集ボタン３３をタップして、図４のような黒板編集画面を呼び出す。そして、変更したい黒板情報を入力する場合は、各項目の入力ボックス４１ａ，４２ａ，４３ａ，４４ａ，４５ａ，４６ａをタップして選択し、テキストを入力する（ＳＴ４〜ＳＴ５）。そして、完了ボタン４７をタップ（ＳＴ６）すると、黒板情報が確定され（ＳＴ７）、図３の撮影画面に戻る。この際、新たに入力された情報は、黒板情報テーブル１３ｃに記録され、後に選択して使用することができるようになる。また、「完了後黒板を保存する」のチェックボックス４８にチェックを入れると、黒板の情報全体が、そのまま保存される（ＳＴ７）。
【００３１】
また、黒板情報テーブル１３ｃには、使用頻度の高い語句や過去に入力された語句が記録されており、黒板編集画面で、入力ボックスの端にあるメモリ呼出しボタン４１ｂ，４２ｂ，４３ｂ，４５ｂ，４６ｂをタップすると、各語句のリストが表示され、その中から黒板に表示する情報を選択することができる（ＳＴ８）。
【００３２】
黒板編集画面の完了ボタン４７がタップされると、撮影画面に戻り、黒板編集画面で選択した情報が表示された黒板画像３２が表示される（ＳＴ９）。そして、撮影者が撮影する風景３１を決定し、黒板画像３２を所望の大きさ、位置に調整した後、シャッターボタン３４を押すと（ＳＴ１０）、図５のような黒板画像３２が風景３１の上に重ねられた状態の画像ファイル（ＪＰＥＧファイル）５１が作成される（ＳＴ１１）。
【００３３】
本プログラムでは、シャッターボタン３４がタップされると、画像ファイル５１が作成されるとともに、その画像ファイル５１についての写真テーブル１３ｄが作成される（ＳＴ１２）。写真テーブル１３ｄには、その画像ファイル５１に自動的に付与される写真ＩＤ、ファイル名のほか、主記憶装置１２上に保持されている情報を参照して、当該画像ファイル５１の作成に使用された（つまり、当該画像に表示されている黒板画像３２の）黒板情報や、撮影日時等が記録される。
【００３４】
また、シャッターボタン３４がタップされると、その画像ファイル５１の保存先となるフォルダが外部記憶装置１３上に存在するか否かが判定され（ＳＴ１３）、存在する場合は、そのフォルダ内に画像ファイル５１が保存され（ＳＴ１４）、存在しない場合は、保存先となるフォルダが外部記憶装置１３上に自動的に作成され（ＳＴ１５）、当該フォルダに画像ファイル５１が保存される（ＳＴ１４）。
【００３５】
なお、図２では、画像ファイル作成（ＳＴ１１）、写真テーブル作成（ＳＴ１２）、保存先フォルダの作成（ＳＴ１３）の処理順序となっているが、本発明はこれに限定されず、例えば、これらの処理を並行して行うようにしてもよい。
【００３６】
上述してきた図１に示すスマートフォンのハードウェアの構成例では、写真テーブルの作成（ＳＴ１２）や保存先フォルダの有無の判定（ＳＴ１３）について、主記憶装置１２内に保持された黒板情報を参照して行っており、外部記憶装置１３上に黒板情報テーブル１３ｃ、写真テーブル１３ｄ、写真台帳テーブル１３ｅ（後述）、工程表テーブル１３ｆ（後述）を含んでいるが、これらはスマートフォン内の外部記憶装置１３で備える必要はなく、（i）外部サーバやパソコン内に備えられる又は、（ii）スマートフォン内の外部記憶装置１３に備え、外部サーバ等と同期させても良い。
【００３７】
図６には図１における点線領域の代替え例を示すブロック図である。図１ではスマートフォン内のみでデータが管理されていたが、（ａ）の場合には、スマートフォンからwifi等の無線で接続された外部サーバ１９内の黒板情報テーブル１９ａ、写真テーブル１９ｂ、写真台帳テーブル１９ｃ、工程表テーブル１９ｄで保存・管理され、パソコン２０やスマートフォンから外部サーバ１９にアクセスして後述するような黒板情報等を予め設定したり、スマートフォンやパソコン２０に当該データを読み込んだりすることができる。また、（ｂ）の場合、図２のようにスマートフォン内でもデータを管理することができると同時にこのデータと外部サーバ１９内のデータとを同期させることができる。したがって、通信環境が良好でない工事現場においてもスムーズにデータを反映することができる。
【００３８】
次に、上述した本プログラムでは、起動時に表示する黒板画像３２の表示として（２）測点に応じた黒板情報が黒板情報テーブル１３ｃに予め設定されていると判定され、その黒板情報を読み込む場合（ＳＴ２〜ＳＴ１６）について図２を参照して説明する。（１）の場合には図１のハードウェア構成を前提に説明したが、以下の（２）の場合には、上記図６（ｂ）のハードウェア構成で説明する。
【００３９】
上述したように本プログラムを起動させると、スマートフォンのデジタルカメラ１７とＧＰＳ１８とが起動し、図３のようにデジタルカメラ１７から入力される風景３１がディスプレイ１６に表示される（ＳＴ１）。このとき（１）の工事現場及び／又は測点に応じた黒板情報が黒板情報テーブル１９ａにない場合には、前回作成した黒板画像３２又は新たに入力した黒板情報に基づいて、その黒板画像３２を風景３１の上に重ねて表示するが（ＳＴ３〜ＳＴ６）、（２）の工事現場及び／又は測点に応じた黒板情報が黒板情報テーブル１９ａにある場合には、異なる処理がなされる。
【００４０】
まず、スマートフォンを所持するユーザ位置の測点をＧＰＳ１８で判断し、ユーザがその工事現場及び／又は測点に位置すると判断した場合には、外部記憶装置１３又は外部サーバ１９内の黒板情報テーブル１９ａに予め設定された黒板情報を参照して、工事名、工種、測点、フリーエリア、及び施工の各欄に、ユーザ位置の測点に対応するそれぞれの情報を表示する（ＳＴ１６）。ここで、黒板情報テーブル１９ａに予め黒板情報を設定しておく方法、及びユーザ位置の測点の判断について説明する。
【００４１】
予め黒板情報を設定する方法としては、（ａ）スマートフォン内のアプリケーションで設定する方法と、（ｂ）外部サーバ１９と接続するパソコンにインストールされた専用のアプリケーションの管理画面又はウェブブラウザに表示された管理画面から設定する方法とが考えられる。まず、図７のフローチャート及び図８〜１０に示すスマートフォンのディスプレイ１６の画面表示に示すように（ａ）のスマートフォン内のアプリケーションで設定する方法では、アプリケーション内のメニュー画面５０（図８（ａ）参照）を起動し（ＳＴ１）、各欄から工事現場設定５１をタップして工事現場範囲設定画面５２（図８（ｂ）参照）を起動し地図表示５３を行う（ＳＴ３）。工事現場範囲設定画面５２内では、ＧＰＳ１８及び汎用の地図アプリケーションによりユーザ位置での地図表示５３が行われ、又はユーザが表示したい住所を入力し汎用の地図アプリケーションで表示する。地図表示５３上で工事現場近傍が表示され、ユーザが工事現場範囲を設定する（ＳＴ４）。
【００４２】
工事現場範囲（図８（ｂ）斜線領域）の決定手法について図１２（ａ）〜（ｄ）及び図１３（ａ）〜（ｃ）が例示される。具体的には、図１２（ａ）及び図８（ｂ）に示すようにＧＰＳ１８でユーザの位置の地図表示５３をし、地図表示５３を拡大、縮小、位置調整を行いながら所望の位置にポインタ５５を移動させ、ボタン５４をタップして複数のポイント５６を設定し、囲まれた範囲を工事現場として設定する（ＳＴ４）。例えば、図１２（ａ）では順にポインタ５５を移動させて順にポイント５６ａ、５６ｂ、５６ｃ・・・と設定して１２点で囲んで工事現場（斜線領域）を生成している。
【００４３】
次に図１２（ｂ）（ｄ）の手法を例示する。この場合、ＧＰＳ１８でユーザの位置の地図表示５３をし、地図表示５３上で指でなぞって工事現場範囲５７を囲んで設定する（ＳＴ４）。なお、後述するウェブページ上で設定する場合は、地図表示５３上のマウスポインタ（図示せず）でなぞって設定する。また、図１２（ｃ）の例の場合、ＧＰＳ１８でユーザの位置の地図表示５３を行い、地図表示５３上で始点となるポイント５８から指で斜めにドラッグして終点のポイント５８までの直線を対角線とする矩形の領域（斜線領域）を工事現場範囲として設定する（ＳＴ４）。例えば、始点となるポイント５８ａから終点となるポイント５８ｂまでドラッグして工事現場範囲を設定する。
【００４４】
また、図１３（ａ）の手法の場合、たとえば、地図アプリケーションの検索機能を用いて工事現場の住所入力から地図表示５３をし、地図表示５３上の住所位置のポインタ５５を中心とする所定の半径αｍを囲む範囲（斜線領域６０）を工事現場範囲として表示する。ユーザは、必要があればポインタ５５の位置を調整し、所望の工事現場範囲として設定する（ＳＴ４）。また、図１３（ｂ）の手法の場合、ＧＰＳ１８でユーザの位置の地図表示５３をし、図１３（ａ）の手法と同様にユーザの位置のポインタ５５を中心とする所定の半径αｍを囲む範囲（斜線領域６３）を工事現場範囲として表示し、必要があれば位置を調整して所望の工事現場範囲として設定する（ＳＴ４）。さらに、図１３（ｃ）の手法の場合、ユーザが実際の工事現場でスマートフォンを持ち歩き、ＧＰＳ１８でユーザの位置を地図表示５３上でポインタ５５に表示させながら、決定ボタン６５をタップして複数のポイント６４を設定し、囲まれた範囲を工事現場として設定する（ＳＴ４）。例えば、図１３（ｃ）では順にポインタ６４を移動させて順にポイント６４ａ、６４ｂ、６４ｃ、６４ｄと設定して４点で囲んだ工事現場範囲（斜線領域）を生成している。
【００４５】
設定された工事現場範囲をユーザが確認すると（ＳＴ５）、図９（ａ）に示す黒板情報入力画面６６が起動し、当該工事現場範囲における工事名、施工業者名、黒板タイプを黒板情報入力画面６６上の各ボタン６７をタップして、それぞれを入力・設定する（ＳＴ６）。なお、図９（ａ）のガイド文は図１２（ａ）の手法での黒板情報入力画面６６が例示されている。工事現場範囲における黒板情報が入力・設定されると、図９（ｂ）の測点決定画面６８が起動し、再び地図画面が表示される（ＳＴ７）。地図表示５３には既に設定された工事現場範囲（斜線領域）が表示され、この範囲内での測点候補を表示し、設定する（ＳＴ８）。ここで「測点」とは、図１１に示すように工事現場範囲において所定の間隔（たとえば２０ｍ毎）に設けられる管理ポイントＮｏ．０、Ｎｏ．１、Ｎｏ．２、Ｎｏ．３、Ｎｏ．４、・・・であり、それぞれの管理ポイントで風景とともに写真撮影する毎に黒板内の表示が対応する測点名（Ｎｏ．０、Ｎｏ．１等）に書き換えられる。この「測点」を図９（ｂ）の測点決定画面６８で設定する。
【００４６】
図９（ｂ）では工事現場範囲内のそれぞれ２のポイント６９、７０を結ぶ３つの線分が測点Ｎｏ，３〜Ｎｏ．５として設定される様子を表示している。具体的な測点の設定手法（工事現場が直線状の場合）について図１４を参照して例示説明する。図１４（ａ）では、地図表示５３上で始点ポイント６９と終点ポイント７０とをタップして２点間の線分を測点Ｎｏ．３として設定する手法が示されている。図１４（ｂ）の手法では、スマートフォンの場合、始点ポイント６９をタップして設定し、そのまま指でなぞって指を離すと離した位置が終点ポイント７０となって２点間の線分を測点Ｎｏ．３のラインとして設定する。図９（ｂ）のように複数の測点のラインが設定される場合、ユーザの位置に一番近い測点のラインが現在の測点として決定される。なお、後述するウェブサイトで設定する場合は、マウスのカーソルを１点にあわせてクリックして始点ポイント６９を設定し、そのままクリックした状態でドラッグし、マウスを離した点が終点ポイント７０となり、測点Ｎｏ．３が設定される。さらに、図１４（ｃ）の場合、中心ポイント６９を地図表示５３上の所望の位置に設定し、中心ポイント７１から半径１０ｍ以内の範囲を測点Ｎｏ．３に設定する。又は、ＧＰＳ１８を介してユーザの位置を地図表示３１上に中心ポイント６９として表示・設定し、中心ポイント７１から半径１０ｍ以内の範囲を測点Ｎｏ．３に設定する。
【００４７】
図１８（ａ）（ｂ）に基づき、曲線状の工事現場範囲に測点を設定する場合の測点判断手法を説明する。図１８（ａ）のように測点を設定した場合、図１８（ｂ）に示すように各測点７６−１〜７６−８それぞれの間を結んだ設定線のうち隣り合う設定線間の角度の１／２の角度方向の線を各測点７６−１〜７６−８上に設定する。設定された線がそれぞれの測点７６−１〜７６−８のラインＮｏ．１〜Ｎｏ．８として設定される。例えば、測点７６−１・測点７６−２間の線分と測点７６−２・測点７６−３間の線分とで形成される角度αの１／２が測点のラインＮｏ．２として設定されている。隣り合う設定線を生成できない両端の測点７６−１、７６−８については法線が設定される。工事現場範囲（斜線領域）内に位置するユーザから最も近い測定ラインＮｏ．１〜Ｎｏ．８の測点が、現在の測点７１−１〜７６−８として決定される。
なお、ユーザが位置する測点の決定については、後述する図１５（ａ）（ｂ）の説明を参照する。
【００４８】
再び図９（ｂ）及び図７に戻る。上述するように各測点が設定され（ＳＴ８）、これを繰り返して複数の測点が設定されると図１０（ａ）に示すように確認画面７２が表示され、確認ボタン７３をタップすると複数の測点が確定し、各測点ごとの黒板情報が設定される（ＳＴ８）。この場合、各測点ごとに確認画面７２が表示され、黒板情報が黒板情報テーブル１３ｃに設定されるようにしても良い。そして、設定された黒板情報が図１０（ｂ）に示すような工事現場設定リスト７４に追加され表示される。さらに他の工事現場を設定する場合（ＳＴ１１）、その現場ごとに上述してきた図７のＳＴ２〜ＳＴ１１を繰り返すこととなる。この工事現場設定リスト７４では不要の工事名を削除したり、すでに設定されている所望の工事名をタップして編集したりすることも可能である。
【００４９】
次に、パソコン２０から外部サーバ１９にアクセスし、パソコン２０のディスプレイ上でのウェブサイト画面（ウェブサイトのマイページ画面）で黒板情報テーブル１９ａに予め測点を設定する場合について説明する。図１６〜図１７にはウェブサイト画面で測点を設定する手法が例示されている。なお、ここでは上述するスマートフォンでの測点設定を参照しつつ説明する。図１６〜図１７における参照番号の下２桁が図８〜図１０の参照番号と同一のものは同様の機能を有するものとし、その機能や設定方法において同様の場合は既述を参酌することで説明を省略する。
【００５０】
まず、図１６（ａ）に示すようにパソコン２０にインストールされた専用のアプリケーション又はウェブブラウザでウェブサイトのマイページを起動し、メニュー画面１５０を表示する（ＳＴ１）。このメニュー画面１５０上の工事名設定ボタン１５１をクリックすると工事現場範囲設定画面１５２がマイページの右欄に起動され、該当工事現場の地図表示１５３（図１６（ｂ）参照）が行われ、ユーザがマウスを操作して工事現場範囲を設定する（ＳＴ４）。これと同時に現場範囲設定画面１５２の左欄には黒板情報入力画面１６６が起動され、右欄で設定される工事現場範囲における工事名、施工業者名、黒板タイプを黒板情報入力画面１６６上の各ボタンをタップして、それぞれを入力・設定する（ＳＴ６）。
【００５１】
工事現場範囲の決定手法については図１２（ａ）で示すように地図表示１５３上でマウスでポインタ１５６を複数クリックして囲まれた範囲を工事現場範囲（斜線領域）として設定する。その他の手法例は図１２（ｂ）、（ｃ）、図１３（ａ）を参照する。工事現場範囲設定画面１５２（右欄）の工事現場範囲に対する黒板情報入力画面１６６（左欄）の黒板情報が入力・設定されると、図１７（ａ）で示す測点決定画面１６８が起動し、工事現場範囲内での測点候補が表示され、測点が設定される（ＳＴ７〜ＳＴ８）。例えば、図１４（ａ）に示すように工事現場範囲内で始点ポイント６９と終点ポイント７０とをマウスでクリックして２点間の線分を測点として設定する。その他の手法例は、図１４（ｂ）、（ｃ）を参照する。
【００５２】
各測点が設定され（ＳＴ８）、これを繰り返して複数の測点が設定されると図１７（ｂ）に示すように確認画面１７２が表示され、確認ボタン１７３をクリックすると複数の測点が確定し、各測点ごとに黒板情報テーブル１９ａに黒板情報が設定され（ＳＴ８）、図１７（ｃ）に示すような工事現場設定リスト１７４に追加され反映される。そして、これらの情報が外部サーバ１９に記録され、スマートフォンと同期されることで、パソコン２０で入力した情報がスマートフォンで起動するアプリケーションに反映される。
【００５３】
次に、ＧＰＳ１８により検出されたユーザの位置における黒板情報の出力手法について説明する。所定の工事現場範囲（工事名）の測点で工事現場の写真撮影を行うとき、その工事現場範囲の測点に対応する黒板情報を出力する必要がある。具体的には、例えば図１５（ａ）の例ではスマートフォンを持ったユーザが測点Ｎｏ．３とＮｏ．４との間にいた場合、より近い測点Ｎｏ．３が設定され、測点Ｎｏ．３に対応する黒板情報を黒板情報テーブル１３ｃ、１９ａから読み込み、出力し、黒板画像に表示する。具体的には、たとえば各測点Ｎｏ．３とＮｏ．４の間の距離２０ｍを４分割して、１／４地点、１／２地点、３／４地点の測点Ｎｏ．３からの距離をそれぞれ、１／４地点＝測点Ｎｏ．３＋５ｍ、１／２地点＝測点Ｎｏ．３＋１０ｍ、３／４地点の位置＝測点Ｎｏ．３＋１５ｍとし、ユーザが１／４地点と１／２地点との間にいる場合には、両者のより近い測点Ｎｏ．３を設定する。あるいは、たとえばユーザが１／４地点付近にいる場合は、黒板画像の側点の欄に「Ｎｏ．３＋５ｍ」と表示させるようにすることもできる。
【００５４】
また、図１５（ｂ）のように複数の工事現場範囲に重複範囲があった場合でユーザがその重複範囲にいるときには、予め優先として設定される工事名の黒板情報を表示する。優先順位を設定していない場合には、その都度ユーザに選択できるようにする。
【００５５】
以上、本発明の実施形態について説明したが、本発明はこれらの実施形態に限定されるものではなく、適宜変更可能である。例えば、上述した実施形態では、ＧＰＳ１８に検出されたユーザの位置における黒板情報の出力手法について所定の工事現場範囲の測点で工事現場の写真撮影を行うと測点に応じた黒板情報が出力され、これに基づいて自動的に黒板画像が変わることとなるが、手動で黒板画像を変える設定にすることもできる。例えば、図９（ａ）に示す黒板情報入力画面６６において「黒板内容を位置情報により自動入力」というボタンを押しているときのみＧＰＳ１８からの位置情報に従って黒板画像を自動入力するようにする。
【００５６】
また、工事現場範囲の設定手法としては、黒板タイプを選択して工事名、施行者名を入力し、当該黒板を表示させた状態でシャッターボタンを押して撮影したときに工事現場範囲を設定するように構成することも可能である。この場合、前もって、たとえば撮影地点の半径１００ｍの範囲を工事現場範囲とする、というように設定しておく。
【００５７】
さらにまた、測点の設定手法について、測点の座標情報（経度・緯度）から測点を設定する方法も可能である。さらに、当該測点を包摂する所定の範囲を工事現場範囲として設定することも可能である。
【００５８】
なお、図２のフローチャートにおいては黒板情報を含む画像ファイルの作成（ＳＴ１１）、写真テーブル１３ｄ、１９ｂの作成（ＳＴ１２）を経て画像ファイルに保存する（ＳＴ１４）工程が示されているが、詳細には写真台帳テーブル１３ｅ、１９ｃ、工程表テーブル１３ｆ、１９ｄに保管されたデータから写真台帳及び工程表が作成され、作業者の負担を大幅に軽減することができる。
【符号の説明】
【００５９】
１３    外部記憶装置
１３ｃ  黒板情報テーブル
１６    ディスプレイ
１７    デジタルカメラ
１８    ＧＰＳモジュール（ＧＰＳ）
１９    外部サーバ
１９ａ  黒板情報テーブル
２０    パソコン
３１    風景
３２    黒板画像
【図１】
2019003310.tif 000003
【図２】
2019003310.tif 000004
【図３】
2019003310.tif 000005
【図４】
2019003310.tif 000006
【図５】
2019003310.tif 000007
【図６】
2019003310.tif 000008
【図７】
2019003310.tif 000009
【図８】
2019003310.tif 000010
【図９】
2019003310.tif 000011
【図１０】
2019003310.tif 000012
【図１１】
2019003310.tif 000013
【図１２】
2019003310.tif 000014
【図１３】
2019003310.tif 000015
【図１４】
2019003310.tif 000016
【図１５】
2019003310.tif 000017
【図１６】
2019003310.tif 000018
【図１７】
2019003310.tif 000019
【図１８】
2019003310.tif 000020